【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
複数の情報記録層が積層された情報記録媒体に対して、データの書き込みおよび／または読み出しを行う光情報処理装置であって、
光を放射する光源と、
前記光源からの光を集光して焦点を形成する集光光学系と、
少なくとも１つの受光素子の受光量に応じて光量信号を生成する受光部と、
前記情報記録層からの反射光を前記受光部に導く検出光学系と、
前記光量信号に基づいて層判別信号を生成し、前記層判別信号に基づいて、前記焦点が、装填された情報記録媒体の複数の情報記録層のうち、いずれの情報記録層の近傍に位置するかを判別する処理回路と
を備え、
前記受光部は、前記焦点が近傍に位置する情報記録層以外の情報記録層からの反射光の入射領域に基づいて配置された判別用受光素子を、前記少なくとも１つの受光素子として含む、光情報処理装置。
【請求項２】
前記複数の情報記録層は、少なくとも第１情報記録層と、第２情報記録層とを含み、
前記検出光学系は、前記第１情報記録層からの第１反射光および前記第２情報記録層からの第２反射光を前記受光部に導き、
前記処理回路は、前記層判別信号に基づいて、前記焦点が、装填された情報記録媒体の前記第１情報記録層および前記第２情報記録層のいずれの近傍に位置するかを判別し、
前記受光部は、前記焦点が前記第１情報記録層の近傍に位置するときの前記第２反射光の入射領域、および、前記焦点が第２情報記録層の近傍に位置するときの前記第１反射光の入射領域に基づいて配置された判別用受光素子を、前記少なくとも１つの受光素子として含む、請求項１に記載の光情報処理装置。
【請求項３】
単一の情報記録層を備えた第１の情報記録媒体または複数の情報記録層が積層された第２の情報記録媒体に対して、データの書き込みおよび／または読み出しを行う光情報処理装置であって、
光を放射する光源と、
前記光源からの光を集光して焦点を形成する集光光学系と、
少なくとも１つの受光素子の受光量に応じて光量信号を生成する受光部と、
前記情報記録層からの反射光を前記受光部に導く検出光学系と、
前記光量信号に基づいて記録媒体判別信号を生成し、前記記録媒体判別信号に基づいて装填された情報記録媒体の種類を判別する処理回路と
を備え、
前記受光部は、前記第２の情報記録媒体が装填された場合の、前記焦点が前記複数の情報記録層のうちのいずれかの近傍に位置するときの前記焦点が近傍に位置する情報記録層以外の情報記録層からの反射光の入射領域に基づいて配置された判別用受光素子を、前記少なくとも１つの受光素子として含む、光情報処理装置。
【請求項４】
前記第２の情報記録媒体の複数の情報記録層は、少なくとも第１情報記録層と、第２情報記録層とを含み、
前記検出光学系は、前記第１情報記録層からの第１反射光および前記第２情報記録層からの第２反射光を前記受光部に導き、
前記受光部は、前記第２の情報記録媒体が装填された場合の、前記焦点が前記第１情報記録層の近傍に位置するときの前記第２反射光の入射領域、および、前記焦点が第２情報記録層の近傍に位置するときの前記第１反射光の入射領域に基づいて配置された判別用受光素子を、前記少なくとも１つの受光素子として含む、請求項３に記載の光情報処理装置。
【請求項５】
前記光検出光学系は、前記第１反射光および前記第２反射光に対して非点収差を与える光学素子を有する、請求項２または４に記載の光情報処理装置。
【請求項６】
前記判別用受光素子は、前記第１反射光および前記第２反射光が入射する前記受光部の領域のうち、前記第１反射光および前記第２反射光の一方が入射する領域に配置される、請求項２または４に記載の光情報処理装置。
【請求項７】
前記非点収差により、前記第１反射光および前記第２反射光は、それぞれ、光軸に垂直でかつ直交する第１軸および第２軸を有し、前記第２反射光は、前記焦点が前記第１情報記録層の近傍に位置するときに前記第１軸に関して前記受光部に入射する前に収束し、
前記判別用受光素子は、前記第１軸に対応する前記受光部上の軸に沿って配置されている、請求項５に記載の光情報処理装置。
【請求項８】
前記判別用受光素子は、前記光軸の中心に関し実質的に対称な位置に複数配置されている、請求項７に記載の光情報処理装置。
【請求項９】
前記受光部は、前記焦点が前記第１情報記録層の近傍に位置するときの第１反射光および前記焦点が前記第２情報記録層の近傍に位置するときの第２反射光を受光する処理用受光素子をさらに有し、
前記処理回路は、前記処理用受光素子の受光量に応じた光量信号に基づいてフォーカスエラー信号を生成し、さらに前記フォーカスエラー信号に基づいて前記焦点の位置を判別する、請求項６に記載の光情報処理装置。
【請求項１０】
前記受光部は、前記第２軸に対応する前記受光部上の軸に沿って配置された補助受光素子を少なくとも１つ有しており、
前記第２軸に関して、前記第２反射光は、前記焦点が前記第１情報記録層の近傍に位置するときに前記受光部よりも奥側で収束し、
前記処理回路は、さらに、前記補助受光素子の受光量に基づいて前記層判別信号を生成する、請求項７に記載の光情報処理装置。
【請求項１１】
前記判別用受光素子は、前記光軸の中心に関し実質的に対称な位置に複数配置されており、前記補助受光素子は、前記光軸の中心に関し実質的に対称な位置に複数配置されている、請求項１０に記載の光情報処理装置。
【請求項１２】
前記処理回路は、前記判別用受光素子からの光量信号と前記補助受光素子からの光量信号との差を、前記判別用受光素子からの光量信号と前記補助受光素子からの光量信号との和で除算して前記層判別信号を生成する、請求項１０に記載の光情報処理装置。
【請求項１３】
前記検出光学系は、前記焦点が前記第２情報記録層の近傍に位置するとき、前記第１反射光を前記光学素子の近傍で収束させ、前記第２反射光を前記受光部上で収束させる、請求項２または４に記載の光情報処理装置。
【請求項１４】
前記検出光学系は、前記焦点が前記第２情報記録層の近傍に位置するとき、前記第１反射光を前記光学素子に入射する前に収束させ、前記第２反射光を前記受光部上で収束させる、請求項２または４に記載の光情報処理装置。
【請求項１５】
前記検出光学系は、光の一部を遮る遮光部を備え、
前記焦点が前記第２情報記録層の近傍に位置するとき、前記第１反射光を前記遮光部の近傍で収束させて前記受光部への入射を遮るとともに、前記第２反射光を前記受光部上で収束させる、請求項２または４に記載の光情報処理装置。
【請求項１６】
前記検出光学系は、光の周縁部を遮る開口を有する遮光部を備え、
前記焦点が前記第１情報記録層の近傍に位置するとき、前記第２反射光の周縁部を前記遮光部によって遮り、前記受光部に入射する前記第２反射光の光束の断面積をより小さくする、請求項２または４に記載の光情報処理装置。
【請求項１７】
前記第１情報記録層および前記第２情報記録層には、各情報記録層固有の情報が記録されており、
前記処理回路は前記固有の情報を取得し、前記固有の情報に基づいて前記焦点が位置する情報記録層を特定し、前記判別の結果と比較して前記判別の結果が正確か否かを検証する、請求項２または４に記載の光情報処理装置。
【請求項１８】
前記第１情報記録層および前記第２情報記録層の各々は、前記データが書き込まれる複数の情報トラックを有し、前記複数の情報トラックの各々は前記情報記録媒体上のデータ位置を特定するための一意のアドレスが付されており、
前記処理回路は、前記固有の情報として前記アドレスの情報を取得する、請求項１７に記載の光情報処理装置。
【請求項１９】
検証の結果、前記焦点が前記所定の情報記録層と異なる情報記録層の近傍に位置していると判断したときは、前記処理回路は、前記層判別信号に基づいて他の情報記録層の近傍に前記焦点の位置を変化させる、請求項１７に記載の光情報処理装置。
【請求項２０】
前記情報記録媒体は、Ｎ＋１（Ｎ：自然数）層の情報記録層を有しており、前記光を放射する側からみて、前記第２情報記録層はＮ層目までの任意の１層であり、前記第１情報記録層は前記第２情報記録層よりも深い位置に存在する情報記録層である、請求項２または４に記載の光情報処理装置。
【請求項２１】
前記第２の情報媒体とは異なる数の複数の情報記録層が積層された第３の情報媒体に対して、さらにデータの書き込みおよび／または読み出しを行う光情報処理装置であって、
前記第３の情報記録媒体が装填された場合の、前記焦点が前記第３の情報媒体の複数の情報記録層のうちのいずれかの近傍に位置するときの前記焦点が近傍に位置する情報記録層以外の情報記録層からの反射光の入射領域に基づいて配置された判別用受光素子を、前記少なくとも１つの受光素子として含む、請求項３に記載の光情報処理装置。
【請求項２２】
前記処理回路は、装填された情報記録媒体の情報記録層の近傍に前記焦点が存在するときの前記層判別信号のレベルに基づいて、前記情報記録層の数を判別する、請求項３に記載の光情報処理装置。
【請求項２３】
前記受光部は、前記第１の情報記録媒体が装填された場合の、前記焦点が前記単一の情報記録層の近傍に位置するときの前記第１の情報記録媒体の表面からの反射光の入射領域に基づいて配置された判別用受光素子を、前記少なくとも１つの受光素子として含む、請求項３に記載の光情報処理装置。
【請求項２４】
複数の情報記録層が積層された情報記録媒体に対して、データの書き込みおよび／または読み出しを行う光学ヘッドであって、
光を放射する光源と、
前記光源からの光を集光して焦点を形成する集光光学系と、
少なくとも１つの受光素子の受光量に応じて光量信号を生成する受光部と、
前記情報記録層からの反射光を前記受光部に導く検出光学系と、
前記光量信号に基づいて層判別信号を生成し、前記層判別信号に基づいて、前記焦点が、装填された情報記録媒体の複数の情報記録層のうち、いずれの情報記録層の近傍に位置するかを判別する処理回路と
を備え、
前記受光部は、前記焦点が近傍に位置する情報記録層以外の情報記録層からの反射光の入射領域に基づいて配置された判別用受光素子を、前記少なくとも１つの受光素子として含む、光学ヘッド。
【請求項２５】
単一の情報記録層を備えた第１の情報記録媒体または複数の情報記録層が積層された第２の情報記録媒体に対して、データの書き込みおよび／または読み出しを行う光学ヘッドであって、
光を放射する光源と、
前記光源からの光を集光して焦点を形成する集光光学系と、
少なくとも１つの受光素子の受光量に応じて光量信号を生成する受光部と、
前記情報記録層からの反射光を前記受光部に導く検出光学系と、
前記光量信号に基づいて記録媒体判別信号を生成し、前記記録媒体判別信号に基づいて装填された情報記録媒体の種類を判別する処理回路と
を備え、
前記受光部は、前記第１の情報記録媒体が装填された場合の、前記焦点が前記単一の情報記録層の近傍に位置するときの前記単一の情報記録層からの反射光の入射領域と、前記第２の情報記録媒体が装填された場合の、前記焦点が前記複数の情報記録層のうちのいずれかの近傍に位置するときの前記焦点が近傍に位置する情報記録層以外の情報記録層からの反射光の入射領域とに基づいて配置された判別用受光素子を、前記少なくとも１つの受光素子として含む、光学ヘッド。
【請求項２６】
複数の情報記録層が積層された情報記録媒体に対して、データの書き込みおよび／または読み出しを行う装置に実装される処理回路であって、
前記装置は、
光を放射する光源と、
前記光源からの光を集光して焦点を形成する集光光学系と、
少なくとも１つの受光素子の受光量に応じて光量信号を生成する受光部であって、前記焦点が近傍に位置する情報記録層以外の情報記録層からの反射光の入射領域に基づいて配置された判別用受光素子を、前記少なくとも１つの受光素子として含む受光部と、
前記情報記録層からの反射光を前記受光部に導く検出光学系と
を備えており、
前記光量信号に基づいて層判別信号を生成し、前記層判別信号に基づいて、前記焦点が、装填された情報記録媒体の複数の情報記録層のうち、いずれの情報記録層の近傍に位置するかを判別する処理回路。
【請求項２７】
単一の情報記録層を備えた第１の情報記録媒体または複数の情報記録層が積層された第２の情報記録媒体に対して、データの書き込みおよび／または読み出しを行う装置に実装される処理回路であって、
前記装置は、
光を放射する光源と、
前記光源からの光を集光して焦点を形成する集光光学系と、
少なくとも１つの受光素子の受光量に応じて光量信号を生成する受光部であって、前記第１の情報記録媒体が装填された場合の、前記焦点が前記単一の情報記録層の近傍に位置するときの前記単一の情報記録層からの反射光の入射領域と、前記第２の情報記録媒体が装填された場合の、前記焦点が前記複数の情報記録層のうちのいずれかの近傍に位置するときの前記焦点が近傍に位置する情報記録層以外の情報記録層からの反射光の入射領域に基づいて配置された判別用受光素子を、前記少なくとも１つの受光素子として含む受光部と、
前記情報記録層からの反射光を前記受光部に導く検出光学系と
を備えており、
前記光量信号に基づいて記録媒体判別信号を生成し、前記記録媒体判別信号に基づいて装填された情報記録媒体の種類を判別する、処理回路。